【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
記録紙の紙幅方向に移動してインク滴を吐出するインクジェットヘッドとプラテンとの間のプラテンギャップが前記紙幅方向で一定の基準プラテンと、前記プラテン上の前記紙幅方向の中央位置で前記紙幅方向と直交する紙送り方向に延びる軸線回りに傾斜する傾斜プラテンと、を想定し、
前記インクジェットヘッドを前記紙幅方向で往復移動させ、予め設定される基準インク吐出タイミングを前記傾斜プラテンの傾斜量に対応する補正時間により補正した補正インク吐出タイミングで所定の印刷パターンを印刷するパターン印刷動作を、前記傾斜量を段階的に変化させて繰り返し、
前記インク滴が前記記録紙上の目標印刷位置に着弾する前記パターン印刷動作の前記補正インク吐出タイミングを前記インク吐出タイミングに設定することを特徴とするインクジェットプリンターのインク吐出タイミング補正方法。
【請求項２】
前記インクジェットヘッドの前記紙幅方向への移動を検出するエンコーダーを設置し、
前記インクジェットヘッドが予め設定した基準速度で移動するときに前記エンコーダーから出力される基準周期をＴ、前記インク滴の吐出速度をＶｉ、前記紙幅方向に移動する前記インクジェットヘッドの所定の位置で前記エンコーダーから出力される信号の実周期をＴ´、前記インクジェットヘッドと前記基準プラテンとの間のギャップをＰＧ、前記所定の位置での前記傾斜プラテンと前記基準プラテンとの間の離間距離をΔＰＧとしたときに、前記傾斜プラテンの前記傾斜量に対応した前記補正時間Δｔは、下式により表される請求項１に記載のインクジェットプリンターのインク吐出タイミング補正方法。
Δt＝Ｔ／Ｖｉ×｛ＰＧ×（１／Ｔ−１／Ｔ´）−ΔＰＧ×１／Ｔ´｝
【請求項３】
前記パターン印刷動作を行う前に、Ｂｉ−ｄ調整動作を行い、前記基準インク吐出タイミングで前記インクジェットヘッドを駆動して前記プラテン上の前記記録紙にインク滴を吐出させたときの往動時の着弾位置と復動時の着弾位置とのずれを補正する請求項２に記載のインクジェットプリンターのインク吐出タイミング補正方法。
【請求項４】
前記パターン印刷動作で、前記記録紙の前記紙幅方向の少なくとも一方の端部分に印刷を行う請求項１ないし３のいずれか１項に記載のインクジェットプリンターのインク吐出タイミング補正方法。
【請求項５】
インク滴を吐出するインクジェットヘッドと、
前記インクジェットヘッドと対向して配置されるプラテンと、
前記プラテン上の記録紙の紙幅方向に前記インクジェットヘッドを移動させるヘッド移動機構と、
前記記録紙を前記紙幅方向と直交する方向に搬送する搬送機構と、を有し、
前記インクジェットヘッドと前記プラテンとの間のプラテンギャップが前記紙幅方向で一定の基準プラテンと、前記プラテン上の前記紙幅方向の中央位置で前記紙幅方向と直交する紙送り方向に延びる軸線回りに傾斜する傾斜プラテンと、を想定し、
前記インクジェットヘッドを前記紙幅方向で往復移動させ、予め設定される基準インク吐出タイミングを前記傾斜プラテンの傾斜量に対応する補正時間により補正した補正インク吐出タイミングで所定の印刷パターンを印刷するパターン印刷動作を、前記傾斜量を段階的に変化させて繰り返し、
前記インク滴が前記記録紙上の目標印刷位置に着弾する前記パターン印刷動作の前記補正インク吐出タイミングを前記インク吐出タイミングに設定することを特徴とするインクジェットプリンター。
【手続補正２】
【補正対象書類名】明細書
【補正対象項目名】０００９
【補正方法】変更
【補正の内容】
【０００９】
上記の課題を解決するために、本発明は、記録紙の紙幅方向に移動してインク滴を吐出するインクジェットヘッドと前記プラテンとの間のプラテンギャップが前記紙幅方向で一定の基準プラテンと、前記プラテン上の前記紙幅方向の中央位置で前記紙幅方向と直交する紙送り方向に延びる軸線回りに傾斜する傾斜プラテンと、を想定し、
前記インクジェットヘッドを前記紙幅方向で往復移動させ、予め設定される基準インク吐出タイミングを前記傾斜プラテンの傾斜量に対応する補正時間により補正した補正インク吐出タイミングで所定の印刷パターンを印刷するパターン印刷動作を、前記傾斜量を段階的に変化させて繰り返し、
前記インク滴が前記記録紙上の目標印刷位置に着弾する前記パターン印刷動作の前記補正インク吐出タイミングを前記インク吐出タイミングに設定することを特徴とする。
【手続補正３】
【補正対象書類名】明細書
【補正対象項目名】００１１
【補正方法】変更
【補正の内容】
【００１１】
本発明において、予め前記インクジェットヘッドの前記紙幅方向への移動を検出するエンコーダーを設置し、前記インクジェットヘッドが予め設定した基準速度で移動するときに前記エンコーダーから出力される基準周期をＴ、前記紙幅方向に移動する前記インクジェットヘッドの所定の位置で前記エンコーダーから出力される信号の実周期をＴ´、前記インク滴の吐出速度をＶｉ、前記インクジェットヘッドと前記基準プラテンとの間のギャップをＰＧ、前記所定の位置での前記傾斜プラテンと前記基準プラテンとの間の離間距離をΔＰＧとしたときに、前記傾斜プラテンの前記傾斜量に対応した前記補正時間Δｔは、下式により表されるものとすることができる。
Δt＝Ｔ／Ｖｉ×｛ＰＧ×（１／Ｔ−１／Ｔ´）−ΔＰＧ×１／Ｔ´｝
【手続補正４】
【補正対象書類名】明細書
【補正対象項目名】００１３
【補正方法】変更
【補正の内容】
【００１３】
本発明において、前記パターン印刷動作を行う前に、Ｂｉ−ｄ調整動作を行い、前記基準インク吐出タイミングで前記インクジェットヘッドを駆動して前記プラテン上の前記記録紙にインク滴を吐出させたときの往動時の着弾位置と復動時の着弾位置とのずれを補正することが望ましい。すなわち、パターン印刷動作を行う前にＢｉ−ｄ調整動作によって往動時の移動速度と復動時の移動速度の速度差に起因する着弾位置のずれが是正されていれば、各パターン印刷動作の印刷結果に往動時の移動速度と復動時の移動速度の速度差に起因する着弾位置のずれが表れることを回避できる。これにより、目標印刷結果を得るまでのパターン印刷動作の繰り返し回数を減らすことができるので、インク吐出タイミングを補正するために消費するインク量を抑制できる。また、パターン印刷動作による印刷結果に往動時の移動速度と復動時の移動速度の速度差に起因する着弾位置のずれが表れず、パターン印刷動作の回数を減らすことができるので、複数の印刷結果の中から目標印刷結果を選択することが容易となる。
【手続補正５】
【補正対象書類名】明細書
【補正対象項目名】００１４
【補正方法】変更
【補正の内容】
【００１４】
本発明において、前記パターン印刷動作で、前記記録紙の前記紙幅方向の少なくとも一方の端部分に印刷を行うことが望ましい。プラテンが傾斜している場合には、インク滴の着弾位置のずれは記録紙の紙幅方向の端部分で大きくなる。従って、パターン印刷動作で記録紙の紙幅方向の端部分に印刷を施した印刷結果に基づいてインク滴が記録紙上の目標印刷位置に着弾しているか否かを確認すれば、複数の印刷結果から目標印刷結果を特定することが容易となる。ここで、パターン印刷動作において印刷が施される箇所を記録紙の紙幅方向の一方の端部分のみとすれば、インク吐出タイミングを補正するために消費するインク量を抑制できる。
【手続補正６】
【補正対象書類名】明細書
【補正対象項目名】００１５
【補正方法】変更
【補正の内容】
【００１５】
次に、本発明のインクジェットプリンターは、
インク滴を吐出するインクジェットヘッドと、
前記インクジェットヘッドと対向して配置されるプラテンと、
前記プラテン上の記録紙の紙幅方向に前記インクジェットヘッドを移動させるヘッド移動機構と、
前記記録紙を前記紙幅方向と直交する方向に搬送する搬送機構と、を有し、
前記インクジェットヘッドと前記プラテンとの間のプラテンギャップが前記紙幅方向で一定の基準プラテンと、前記プラテン上の前記紙幅方向の中央位置で前記紙幅方向と直交する紙送り方向に延びる軸線回りに傾斜する傾斜プラテンと、を想定し、
前記インクジェットヘッドを前記紙幅方向で往復移動させ、予め設定される基準インク吐出タイミングを前記傾斜プラテンの傾斜量に対応する補正時間により補正した補正インク吐出タイミングで所定の印刷パターンを印刷するパターン印刷動作を、前記傾斜量を段階的に変化させて繰り返し、
前記インク滴が前記記録紙上の目標印刷位置に着弾する前記パターン印刷動作の前記補正インク吐出タイミングを前記インク吐出タイミングに設定することを特徴とする。